(57)【特許請求の範囲】
【請求項１】
水底に設置された錘と、前記錘に取り付けられたカーテンと、前記カーテンに取り付けられたフロートと、を備える汚濁防止膜であって、
前記錘は、袋体に粒状材が中詰された複数の錘部材と、
複数の前記錘部材を一括して覆うカバー部材と、を有し、
前記複数の錘部材は、前記カーテンの延長方向に沿って二列配置されていることを特徴とする、汚濁防止膜。
【請求項２】
前記錘と水底との間にベースシートが敷設されていることを特徴とする、請求項１に記載の汚濁防止膜。
【請求項３】
前記錘部材の上面に、保護シートが敷設されていることを特徴とする、請求項１または請求項２に記載の汚濁防止膜。
【請求項４】
前記カーテンの下部と前記錘の上面の一部を覆う補助カーテンを備えることを特徴とする、請求項１乃至請求項３のいずれか１項に記載の汚濁防止膜。
【請求項５】
前記カーテンが、複数のカーテン部材を連結することで構成されており、
前記カーテン部材同士の連結部が、ジョイントシートによって覆われていることを特徴とする、請求項１乃至請求項４のいずれか１項に記載の汚濁防止膜。
【請求項６】
前記カーテンまたは前記錘を貫通するフィルター付きの水抜き路が形成されていることを特徴とする、請求項１乃至請求項５のいずれか１項に記載の汚濁防止膜。
【発明の詳細な説明】
【技術分野】
【０００１】
本発明は、汚濁防止膜に関する。
【背景技術】
【０００２】
海上及び水中作業に伴う汚濁の拡散防止を目的として、工事領域を汚濁防止膜により囲う場合がある。
このような汚濁防止膜として、水底からカーテンを立ち上げた自立式汚濁防止膜がある。
【０００３】
自立式汚濁防止膜は、水底に設置された錘と、下端が錘に取り付けられたカーテンと、カーテンの上端に取り付けられたフロートと、を備えていて、フロートの浮力により、カーテンを自立させている。
【０００４】
自立式汚濁防止膜の錘には、Ｈ形鋼を使用するのが一般的である。ところが、水底の地盤に不陸がある場合、Ｈ形鋼と水底との間に隙間が形成されて、この隙間から汚濁が拡散するおそれがあった。
【０００５】
そのため、特許文献１には、水底の地盤に不陸がある場合であっても、水底との間に隙間を形成することなく設置することを可能とした汚濁防止膜として、下端に錘が取り付けられているとともに、折りたたみ構造としたカーテンを、フロートにより水底から自立させることで、水底の不陸に追従可能に構成した自立式汚濁防止膜が開示されている。
【０００６】
また、錘として、袋に砂や砕石等の粒状物を詰め込んだいわゆる土のうを使用することで、不陸がある水底と錘との間に隙間が形成されることを防止する場合もある。
【先行技術文献】
【特許文献】
【０００７】
【特許文献１】特開２０１０−１８９８９２号公報
【発明の概要】
【発明が解決しようとする課題】
【０００８】
特許文献１に記載の自立式汚濁防止膜は、カーテンを直接水底から立設させる構成のため、波浪及び潮位などによりカーテンの水底との接触部分に破損が生じる場合があった。カーテンに破損が生じると、汚濁防止膜としての遮蔽機能が低下するおそれがある。
【０００９】
また、土のうを錘として採用した場合も、水底と土のうとの接触部分や、カーテンと土のうとの接触部分において、土のうに破損が生じるおそれがあった。
また、波浪により土のうが転がる場合がある
【００１０】
本発明は、このような問題点を鑑みてなされたものであり、高品質で、かつ耐久性に優れた汚濁防止膜を提供することである。
【課題を解決するための手段】
【００１１】
前記課題を解決するための本発明の汚濁防止膜は、水底に設置された錘と、前記錘に取り付けられたカーテンと、前記カーテンに取り付けられたフロートとを備えるものであって、前記錘は、袋体に粒状材が中詰された複数の錘部材と複数の前記錘部材を一括して覆うカバー部材とを有し、前記複数の錘部材は、前記カーテンの延長方向に沿って二列配置されていることを特徴としている。
【００１２】
かかる汚濁防止膜によれば、錘が、粒状材が中詰された袋体により構成されているため、水底に不陸があったとしても、錘と水底との間に隙間が形成されることを防止できる。
また、複数の錘部材は、カバーシートにより一括して覆われているため、錘部材同士の隙間から汚濁が流出することを防ぐことができる。
【００１３】
また、錘部材は、水底やカーテンと直接接触しないので、耐久性にも優れている。
さらに、複数の錘部材を二列配置することで、一列配置とした場合に比べて各錘部材の高さを低く抑えることができるため、安定性を向上させることができる。
【００１４】
前記汚濁防止膜において、前記錘と水底（地盤）との間にベースシートを敷設したり、前記錘部材の上面に保護シートを敷設したりすることで、耐久性をより高めてもよい。
【００１５】
前記汚濁防止膜において、前記カーテンの下部と前記錘の上面の一部を覆う補助カーテンを備えていれば、遮蔽性がより高まる。
【００１６】
前記カーテンが、複数のカーテン部材を連結することで構成されている場合には、前記カーテン部材同士の連結部を覆うジョイントシートを設けることで、カーテン部材同士の連結部からの汚濁の流出を防止できる。
【００１７】
前記カーテンまたは前記錘を貫通するフィルター付きの水抜き路が形成されていれば、干満差が大きく、潮流が速い海域であっても、汚濁防止膜の内外の水頭差が維持されて、安定性が保たれる。
【発明の効果】
【００１８】
本発明によれば、高品質かつ耐久性に優れた汚濁防止膜を提供することができる。
【図面の簡単な説明】
【００１９】
【図１】本発明の実施の形態に係る汚濁防止膜を示す斜視図である。
【図２】図１に示す汚濁防止膜を示す断面図である。
【図３】（ａ）は汚濁防止膜のジョイントシートを示す斜視図、（ｂ）は（ａ）の一部分を示す拡大図である。
【図４】（ａ）〜（ｃ）は汚濁防止膜の各施工段階を示す断面図である。
【発明を実施するための形態】
【００２０】
汚濁防止膜１は、水中施工に伴い発生する汚濁の施工領域外への流出を防止するものであって、施工領域を囲むように配設されたものである。
本発明の実施の形態に係る汚濁防止膜１は、図１に示すように、錘１０と、カーテン２０と、フロート３０と、水抜き路４０とを備えている。
【００２１】
錘１０は、水底Ｇに設置されている。
錘１０は、カーテン２０に作用する波浪及び潮流やフロート３０の浮力によって、移動することのない重さを有している。
【００２２】
錘１０は、複数の錘部材１１，１１，…と、複数の錘部材１１，１１，…を一括して覆うカバー部材１２とを有して構成されている。
【００２３】
複数の錘部材１１，１１，…は、二列配置されている。錘部材１１，１１，…は、各列においてカーテン２０の延長方向に連設されている。
一方の列はカーテン２０の外側（施工領域と反対側）に配置されており、他方の列はカーテン２０の内側（施工領域側）に配置されている。
【００２４】
錘部材１１は、袋体に砂が中詰されることで構成されたいわゆる土のうである。なお、袋体の材質は限定されるものではない。
また、袋体に中詰される材料は砂に限定されるものではなく、例えば、砂利、礫、砕石等の他の粒状部材であってもよい。また、現地発生土砂を中詰材として使用してもよい。
【００２５】
錘部材１１は、幅および長さよりも高さを小さくすることで、波浪等により錘１０が転がることを防止する。
なお、錘部材１１の形状寸法は限定されるものではないが、本実施形態では、高さが５０ｃｍ程度となるように形成されている。
【００２６】
図２に示すように、錘部材１１の上面には保護シート１３が配置されている。保護シート１３は、カーテン２０の下側に敷設されており、前後の錘部材１１，１１に固定されている。
保護シート１３は、カーテン２０や錘１０とカーテン２０を接続する治具等が接触することを防止する。すなわち保護シート１３は、錘部材１１の袋体が破けることのないように配設されているものである。
【００２７】
保護シート１３の材質は、錘部材１１を保護することが可能であれば限定されるものではないが、例えば不織布により構成すればよい。
保護シート１３の形状寸法も限定されるものではないが、本実施形態では幅が１ｍ程度、厚みが１ｍｍ程度のものを採用している。
【００２８】
カバー部材１２は、二列配置された錘部材１１，１１，…を一括して覆うシート材である。カバー部材１２は、錘部材１１の上側（本実施形態では保護シート１３の上側）において、カーテン２０に連結されている。
【００２９】
カバー部材１２を構成する材料は、錘部材１１，１１，…を覆うとともにカーテン２０との固定が可能であれば限定されるものではないが、汚濁の浸透を防止する素材が望ましい。
【００３０】
錘１０は、水底Ｇに敷設されたベースシート５０上に載置されている。
ベースシート５０は、錘１０の水底の地盤への接触による破損を防止する緩衝材であって、本実施形態ではネットシートにより構成されている。
なお、ベースシート５０を構成する材料は限定されるものではない。
【００３１】
ベースシート５０は、二列配置された錘１０の幅よりも大きな幅（例えば、２ｍ）を有しており、何らかの原因により錘１０の位置が多少ずれたとしても錘１０と水底との間に介設されるように構成されている。
【００３２】
カーテン２０は、汚濁の流出を遮蔽するものであって、図１に示すように、上端がフロート３０に取り付けられているとともに、下端が錘１０に取り付けられている。
【００３３】
カーテン２０は、フロート３０の浮力により立設されて、壁状に施工領域を囲っている。
【００３４】
本実施形態のカーテン２０は、複数のカーテン部材２１，２１，…を連結することにより構成されている。
【００３５】
カーテン部材２１は、水面に浮遊するフロート３０と水底Ｇに設置された錘１０とを連結することが可能な長さを有した布状材であって、汚濁の浸透が不能な材質を備えた材料により構成されている。
【００３６】
カーテン部材２１同士の連結は、図３の（ａ）に示すように、結束ロープ２２により端部を結束することにより行う。なお、カーテン部材２１同士の連結方法は限定されるものではない。
カーテン部材２１同士の連結部は、ジョイントシート２３により覆われていて、カーテン部材２１同士の隙間から汚濁が浸透することが防止されている。
【００３７】
ジョイントシート２３は汚濁防止膜１の外側面（施工領域側と反対側の面）に設置されていて、その上端がカーテン２０の上端に位置しており、その下端が後記する補助カーテン２４の上端よりも低い位置となる長さを有している。なお、ジョイントシート２３の長さはこれに限定されるものではなく、例えば、連結部全延長を覆うように、カーテン部材２１と同じ長さを有していてもよい。
【００３８】
ジョイントシート２３を構成する材料は、汚濁の浸透を防止することが可能なものであれば限定されるものではないが、本実施形態ではカーテン部材２１と同種の材料により構成する。
【００３９】
ジョイントシート２３は、２０ｃｍ程度の幅を有しており、図３の（ｂ）に示すように、それぞれの端部が隣り合うカーテン部材２１の端部に重ねられた状態で、両カーテン部材２１，２１に跨って配設されている。なお、ジョイントシート２３の寸法は限定されるものではない。
【００４０】
ジョイントシート２３の固定方法は限定されるものではないが、本実施形態では、カーテン部材２１同士を結束する結束ロープ２２により固定する。
【００４１】
本実施形態の汚濁防止膜１は、図２に示すように、カーテン２０の下部と錘１０の上面の一部を覆う補助カーテン２４を備えている。
【００４２】
補助カーテン２４は、カーテン２０の延長方向に沿って延設された布状材であって、汚濁防止膜１の内側面（施工領域側）に設置されている。
補助カーテン２４を構成する材料は、汚濁の浸透を防止することが可能なものであれば限定されるものではないが、本実施形態ではカーテン部材２１と同種の材料により構成する。
【００４３】
補助カーテン２４は、錘１０とカーテン２０との接合部を覆うことで、錘１０とカーテン２０との隙間から汚濁が流出することを防止する。
【００４４】
補助カーテン２４のうち錘１０の上に位置する部分には、ウェイトチェーン２５が上載されていて、錘１０の上面と補助カーテン２４との間に隙間が形成されることを防止している。
補助カーテン２４の上端部は、カーテン２０の中間部に設置された補助フロート３１に固定されていて、補助カーテン２４の上部がカーテン２０の下部と重ねられた状態となっている。
【００４５】
なお、補助カーテン２４の下端部には、必ずしもウェイトチェーン２５が上載されている必要はない。例えば、ウェイトチェーン２５に代えて他の部材を配設することで補助カーテン２４がめくれることを防止してもよいし、補助カーテン２４の下端部を錘１０の上面に固定してもよい。また、ウェイトチェーン２５は、予め補助カーテン２４に固定されていてもよい。
【００４６】
フロート３０は、図１に示すように、カーテン２０の上端に取り付けられて、カーテン２０の水中で立設させることが可能な浮力を有している。
【００４７】
フロート３０の構成は限定されるものではなく、例えば、気体が注入されたチューブ状の部材であってもよいし、中空のプラスチック製部材であってもよい。
また、フロート３０の形状、数についても限定されるものではない。
【００４８】
本実施形態では、カーテン２０の上下方向中間部に、補助フロート３１，３１が設置されている。
補助フロート３１を設けると、干潮時等により水位が下がった場合であっても、カーテン２０が立設した状態を維持することが可能となる。つまり、水位が下がって、フロート３０の高さが下がった場合であっても、錘１０から補助フロート３１の間においては、補助フロート３１の浮力によりカーテン２０が立設する。
【００４９】
本実施形態の補助フロート３１は、フロート３０と同質部材であって、フロート３０よりも小断面の部材により構成されている。
【００５０】
水抜き路４０は、図１に示すように、錘１０を貫通する水路である。水抜き路４０を設けると、水抜き路４０を介した水の流出入が可能となるので、潮流（引き潮や満ち潮）によりカーテン２０に作用する流水圧を低減することが可能になる。
水抜き路４０は、カーテン２０の延長方向に対して所定の間隔をあけて複数形成されている。
【００５１】
本実施５１形態の水抜き路４０は、錘１０を貫通するように配置された管体４１と、管体４１の内部に設けられたフィルター４２とを備えている。
【００５２】
管体４１は、カーテン２０の延長方向に隣り合う錘部材１１，１１の間に配管されることで、錘１０を貫通している。
なお、管体４１の配置は限定されるものではない。例えば、管体４１を錘１０の上面に配管して、カーテン２０を貫通する水抜き路４０を形成してもよい。
【００５３】
管体４１を構成する材料は限定されるものではなく、例えば、コンクリート管、ポリ塩化ビニル管やコルゲート管等を使用すればよい。
また、管体４１の断面形状は、錘部材１１との間に隙間が形成されることを防止する観点から矩形断面であることが望ましいが、円形断面やその他の多角形断面であってもよい。
【００５４】
フィルター４２は、施工領域からの汚濁の流出を防止する部材である。フィルター４２の構成は限定されるものではない。
【００５５】
次に、本実施形態の汚濁防止膜１の施工方法について説明する。
【００５６】
まず、汚濁防止膜１の形成個所に沿って、水底Ｇにベースシート５０を敷設するとともに、その上面にカバー部材１２を広げた状態で敷設する（図４の（ａ）参照）。
【００５７】
次に、図示しないクレーンにより錘部材１１を水上から吊り降ろし、カバー部材１２の上面に、列状に載置する。
【００５８】
錘部材１１を２列配置したら、図４の（ｂ）に示すように、錘部材１１の上面に保護シート１３を敷設するとともに、カバー部材１２の両端を錘部材１１，１１（保護シート１３）の上面において結束する。
【００５９】
続いて、図４の（ｃ）に示すように、カーテン２０を水中に垂らすとともに、カーテン２０の下端をカバー部材１２の端部（結束部分）に固定する。
フロート３０は予めカーテン２０の上端に取り付けておいてもよいし、カーテン２０の設置後にカーテン２０の上端に取り付けてもよい。
【００６０】
なお、カーテン部材２１，２１，…は、予め地上において結束する。また、ジョイントシート２３および補助カーテン２４も、地上において予めカーテン２０に固定する。
【００６１】
なお、カーテン部材２１同士の結束や、ジョイントシート２３および補助カーテン２４のカーテン２０への固定は、水中において行ってもよい。
【００６２】
以上、本実施形態の汚濁防止膜１は、高品質かつ耐久性に優れている。具体的な作用効果は、次の通りである。
錘部材１１が、粒状材が中詰された袋体により構成されているため、水底Ｇに不陸があったとしても、水底Ｇの形状に応じて適宜変形して、錘１０と水底Ｇとの間に隙間が形成されることを防止でき、ひいては、錘１０と水底Ｇとの間から汚濁が流出することを防止できる。
【００６３】
複数の錘部材１１，１１，…により錘１０を形成したので、水底Ｇの起伏が激しい場合であっても、追従することができる。
【００６４】
複数の錘部材１１，１１，…を、カバーシート１２により一括して覆ったため、錘部材１１同士の隙間から汚濁が流出することを防ぐことができる。また、複数の錘部材１１，１１，…が一体となることで、安定性が向上する。
【００６５】
錘部材１１の上面に保護シート１３を敷設したため、カーテン２０やカーテンと錘１０とをつなぐ治具等により錘部材１１の袋体が破損することが防止され、耐久性に優れている。
【００６６】
錘１０と水底Ｇとの間に、ベースシート５０を介設したため、水底Ｇから岩や珊瑚が突起している場合であっても、錘１０が直接接触することがない。そのため、錘部材１１が水底の突起部と接触することで破損することが防止され、耐久性に優れている。
【００６７】
複数の錘部材１１，１１，…を二列配置したので、一列配置して同じ重さの錘１０を形成する場合と比較して、錘１０の高さを低く抑えることができる。つまり、高さに対して幅が広い錘１０を形成することができ、その結果、安定性が向上し、波浪等により錘が転がることを防止できる。
【００６８】
補助カーテン２４が、カーテン２０の延長方向に沿って、錘１０とカーテン２０との接合部を覆っているため、錘１０とカーテン２０との隙間から汚濁が流出することが防止されている。
【００６９】
カーテン部材２１同士の連結部は、ジョイントシート２３により覆われているため、この連結部からの汚濁の流出が防止されている。
【００７０】
フィルター４２付きの水抜き路４０が、所定の間隔毎に形成されているため、干満差が大きく、潮流が速い海域であっても、汚濁防止膜１の内外の水頭差が維持されて、安定性が保たれる。
【００７１】
以上、本発明について、好適な実施形態について説明した。しかし、本発明は、前述の各実施形態に限られず、前記の各構成要素については、本発明の趣旨を逸脱しない範囲で、適宜変更が可能である。
例えば、本発明の汚濁防止膜の設置箇所は、海上及び水中施工の施工領域の外周囲に限定されるものでない。
【００７２】
ベースシート５０は必要に応じて配設すればよく、水底が砂利等からなり、錘１０が水底に接することで破損するおそれが無い場合には省略してもよい。また、ベースシート５０は、必ずしも汚濁防止膜１の全延長に対して敷設する必要はない。
【００７３】
錘１０とカーテン２０との固定箇所において、錘部材１１が破損するおそれが無い場合には、保護シート１３の設置は省略してもよい。
【００７４】
カーテン部材同士の接合部や、錘とカーテンとの接合部からの汚濁の流出のおそれが無い場合には、補助カーテンおよびジョイントカーテンの設置を省略してもよい。
【００７５】
水抜き路は必要に応じて設置すればよく、水位の変化がない水域や水位の変化が小さい水域に汚濁防止膜を設置するような場合には、水抜き路の設置を省略してもよい。
【符号の説明】
【００７６】
１    汚濁防止膜
１０  錘
１１  錘部材
１２  カバー部材
１３  保護シート
２０  カーテン
２１  カーテン部材
２３  ジョイントシート
２４  補助カーテン
３０  フロート
４０  水抜き路
４２  フィルター
５０  ベースシート
【要約】
【課題】高品質で、かつ耐久性に優れた汚濁防止膜を提供する。
【解決手段】水底に設置された錘１０と、錘１０に下端が取り付けられたカーテン２０と、カーテン２０の上端に取り付けられたフロート３０とを備える汚濁防止膜１であって、錘１０が、袋体に粒状材が中詰された複数の錘部材１１，１１，…と、複数の錘部材１１，１１，…を一括して覆うカバー部材１２とを有し、複数の錘部材１１，１１，…は、カーテン２０の延長方向に沿って二列配置されている。
【選択図】図１【図１】
0005495401.tif 000002
【図２】
0005495401.tif 000003
【図３】
0005495401.tif 000004
【図４】
0005495401.tif 000005